(57)【特許請求の範囲】
【請求項１】
ブラシ片を中央部から折り込んで芯線及び断面コの字型の帯状体で挟み付けて形成されたチャンネルブラシを略円筒形状の台座の外周に固定した洗浄ブラシにおいて、該ブラシ片は、平板状の合成樹脂発泡体であり、複数のスリットが前記中央部に対して非対称であって、且つ一方側の隣り合うスリット間の間隔が小さく、他方側の隣り合うスリット間の間隔が大きくなるように形成されてあることによって、前記チャンネルブラシは、前記芯線を挟んで向かい合う一方のブラシ片が他方のブラシ片を補強するようにして形成されてあり、前記チャンネルブラシは該台座の外周に巻き付けて、止め金具で固定されたことを特徴とする洗浄ブラシ。
【請求項２】
前記ブラシ片の各スリットは、中央部のスリットのない幅が、略一定になるようにして設けられたことを特徴とする請求項１に記載の洗浄ブラシ。
【請求項３】
前記チャンネルブラシのブラシ片の材質として、合成樹脂発泡体に加えて、天然樹脂発泡体、織布、不織布、天然繊維、化学繊維、天然樹脂、合成樹脂、天然ゴム、合成ゴムの内、少なくとも１種類以上が使用されてあることを特徴とする請求項１又は２に記載の洗浄ブラシ。
【発明の詳細な説明】
【０００１】
【発明の属する技術分野】
本発明は、被洗浄面に付着した汚れ等を洗浄するための洗浄ブラシに関するものである。
【０００２】
【従来の技術】
図１から図３を使用して、特開２００３−３４４号に開示されてある、従来の洗浄ブラシを説明する。図１は、従来の洗浄ブラシを、前面側から見た斜視図である。図１において、１は洗浄ブラシ、２は台座、３はチャンネルブラシ、４はブラシ片、５は止め金具である。図２は、図１に使用するブラシ片の斜視図である。図２において、６はスリット、７は中央部である。図３は、図１の洗浄ブラシの側面図である。図３において、８は隙間、９は根部である。従来の洗浄ブラシは、図１から図３の如く、チャンネルブラシ３のブラシ片４に、ブロック状体の発泡材を使用し、両端部に所定間隔ごとに複数のスリット６を有すると共に、中央部７にて折り込んでチャンネルブラシ３が形成されてある。しかしながら、従来の技術においては、チャンネルブラシ３のブラシ片４は、両端部に所定間隔ごとに複数のスリット６が形成されてあるが、複数のスリット６は、中央部７にたいして対称となるように形成されてあった。その為、台座２の外周部に形成されたチャンネルブラシ３は、図３の如く、隣接するブラシ片４の間には、隙間８が形成されることにより、根部９の毛腰が弱くなってしまうという課題を有していた。
【０００３】
【発明が解決しようとする課題】
本発明は、上記のような課題を解決するためになされたもので、ブラシ片の毛腰を強くする事により、高い洗浄力を有し、かつ迅速で安価に製作できる洗浄ブラシを提供することを目的としている。
【０００４】
【課題を解決するための手段】
本発明の洗浄ブラシは、上記の目的を達成するため次の手段を採った。すなわち、ブラシ片を中央部から折り込んで芯線及び断面コの字型の帯状体で挟み付けて形成されたチャンネルブラシを略円筒形状の台座の外周に固定した洗浄ブラシにおいて、該ブラシ片は、平板状の合成樹脂発泡体であり、複数のスリットが前記中央部に対して非対称であって、且つ一方側の隣り合うスリット間の間隔が小さく、他方側の隣り合うスリット間の間隔が大きくなるように形成されてあることによって、前記チャンネルブラシは、前記芯線を挟んで向かい合う一方のブラシ片が他方のブラシ片を補強するようにして形成されてあり、前記チャンネルブラシは該台座の外周に巻き付けて、止め金具で固定されたことを特徴としている。
【０００７】
請求項２の発明は、前記ブラシ片の各スリットは、中央部のスリットのない幅が、略一定になるようにして設けられたことを特徴としている。
【０００８】
請求項３の発明は、前記チャンネルブラシのブラシ片の材質として、合成樹脂発泡体に加えて、天然樹脂発泡体、織布、不織布、天然繊維、化学繊維、天然樹脂、合成樹脂、天然ゴム、合成ゴムの内、少なくとも１種類以上が使用されてあることを特徴としている。
【０００９】
【発明の実施の形態】
次に、請求項１の発明の洗浄ブラシを実施の形態１で、請求項２の発明の洗浄ブラシを実施の形態２で、請求項３の発明の洗浄ブラシを実施の形態３で、請求項４の発明の洗浄ブラシを実施の形態４で、請求項５の発明の洗浄ブラシを実施の形態５で、それぞれ図面に基づいて具体的に説明する。
実施の形態１
図４から図８にて実施の形態１を示す。図４は、本発明の洗浄ブラシを洗車ブラシとして使用した形態を前面側から見た斜視図である。図４において、１１は洗浄ブラシ、１２は台座、１３はチャンネルブラシ、１４はブラシ片、１５は止め金具、９１は爪、９２はネジである。図５は、図４に使用した台座、及び止め金具を前面側から見た斜視図である。図６は、図４に使用したブラシ片の正面図である。図６において、１６、２６はスリット、１７は中央部、２０は幅である。図７は、チャンネルブラシの製造方法を、前面側から見た斜視図である。図７において、１０は基台、１８は帯状体、８９は芯線、９７は縦ロール、９８は横ロールである。図８は、図４の洗浄ブラシの側面図である。図８において、１９は根部、３８は隙間である。
【００１０】
洗浄ブラシ１１は、図４の如く、台座１２、チャンネルブラシ１３、及び止め金具１５より構成されてある。台座１２は、略円筒形状からなり、外周の両端部には図５の如く、爪９１を有する止め金具１５が、台座１２にたいしてネジ９２にて組みつけられて形成されてある。台座１２の外周には、チャンネルブラシ１３が形成されてあり、チャンネルブラシ１３は、止め金具１５に形成された爪９１を折り込む事により、固定されてある。チャンネルブラシ１３は、芯線８９、ブラシ片１４、及び帯状体１８より形成されてある。
【００１１】
次に、洗浄ブラシ１１の製造手順を、図７、及び図８にて説明する。まず、図７の如く、断面がコの字型の長尺の帯状体１８にたいして、平板状の合成樹脂発泡体からなるブラシ片１４の中央部１７を、重ね合わせるように、帯状体１８の上部に設置し、縦ロール９７を使用して、芯線８９にてブラシ片１４を挟み付けると共に、芯線８９を帯状体１８のコの字型の内部に押し込む。次に、帯状体１８の両側に形成された横ロール９８を使用して、帯状体１８を両側から、かしめる。その結果、中央部１７が帯状体１８と芯線８９に挟み付けられて、折り込まれたブラシ片１４を有するチャンネルブラシ１３が、形成される。その後、図８の如く、チャンネルブラシ１３を、台座１２の外周にたいして巻き付けた後、止め金具１５にて固定する。
【００１２】
ブラシ片１４は、平板状の合成樹脂発泡体が使用されてあり、図６の如く、複数のスリット１６、及び２６が、中央部１７にたいして、幅２０を有して非対称となるように形成されてある。ブラシ片１４は、上記の形状となっている為、Ａ−Ａを折り込んで、図８の如く、台座１２の外周にたいして、複数のスリット１６、及び２６が、互いにずれるようにして、巻き付けられて、形成される。その為、ブラシ片１４は、複数のスリット１６にて形成された隙間３８に、複数のスリット２６を有する側のブラシ片１４が、重ね合わされるようにして、形成され、隙間３８は、複数のスリット２６を有する側のブラシ片１４により、補強される。
【００１３】
実施の形態１の洗浄ブラシ１１は、上記の如くの構成となっているので、平板状の合成樹脂発泡体のブラシ片１４が、台座１２の外周にたいして、複数のスリット１６にて形成された隙間３８に、複数のスリット２６を有する側のブラシ片１４が、重ね合わされるようにして、形成される。その為、ブラシ片１４の根部１９は、隙間３８が複数のスリット２６を有する側のブラシ片１４により補強されることにより、毛腰を強くすることができる。また、使用時には、毛腰の強い根部１９を有するブラシ片１４を、被洗浄面にたいして連続的に接触させることができる。その為、洗浄ブラシ１１は、洗浄ムラが発生する事が無く、短時間にて洗浄する事ができると共に、高い洗浄力を発揮できる。さらにまた、洗浄ブラシ１１は、上記の如く、チャンネルブラシ１３を、台座１２の外周にたいして巻き付けた後、止め金具１５にて固定する製造方法を採用している為、迅速、かつ安価に製造することができる。
【００１４】
実施の形態１の洗浄ブラシ１１は、上記の如くの構成となっているが、ブラシ片の形状等については、使用する目的に応じて、例えば、複数のスリットを、中央部にたいして非対称となるように、所定角度、傾斜させて形成したブラシ片を使用する等、適時、最適になるように、設定しても、何ら支障は無い。また、本発明の実施の形態においては、洗浄ブラシは洗車ブラシとして使用されてあるが、例えば、電車の外壁面用あるいは航空機の外壁面用の洗浄ブラシに転用したり、路面清掃用及び洗浄用の洗浄ブラシに転用したり、高層ビルの壁面洗浄用の洗浄ブラシに転用したり、台座の一端を概取っ手形状とし、一般家庭用の洗浄ブラシに転用しても、何ら支障は無い。
【００１５】
実施の形態２
図９から図１１にて実施の形態２を示す。図９は、本発明の洗浄ブラシを洗車ブラシとして使用した形態を前面側から見た斜視図である。図９において、２１は洗浄ブラシ、２２は台座、２３はチャンネルブラシ、２４はブラシ片、２５は溝部、２８は帯状体、２９は根部、９９は芯線である。図１０は、図９の洗浄ブラシに使用したチャンネルブラシを前面側から見た斜視図である。図１１は、図９の洗浄ブラシに使用したブラシ片の平面図である。図１１において、２７は中央部、３０は幅、３６、４６はスリットである。
【００１６】
洗浄ブラシ２１は、図９の如く、台座２２、及びチャンネルブラシ２３より構成されてある。台座２２は、略円筒形状からなり、外周には、チャンネルブラシ２３が形成されてあり、チャンネルブラシ２３は、台座２２の外周に形成された溝部２５にたいして、着脱可能に、挿入して固定されてある。また、図１０の如く、チャンネルブラシ２３には、平板状の合成樹脂発泡体が使用されてあるブラシ片２４が形成されてあり、ブラシ片２４は、図１１の如く、複数のスリット３６、及び４６が、中央部２７にたいして、幅３０を有して非対称となるように形成されてある。ブラシ片２４は、上記の形状となっている為、Ｂ−Ｂを折り込む事により、複数のスリット３６、及び４６が、互いにずれるようにして、図１０の如くの、チャンネルブラシ２３が形成される。その為、チャンネルブラシ２３は、根部２９の毛腰が強く形成される。
【００１７】
実施の形態２の洗浄ブラシ２１は、上記の如くの構成となっているので、ブラシ片２４の根部２９は、毛腰を強くすることができる。また、使用時には、毛腰の強い根部２９を有するブラシ片２４を、被洗浄面にたいして、接触させることができる。その為、洗浄ブラシ２１は、短時間にて洗浄する事ができると共に、高い洗浄力を発揮できる。さらにまた、洗浄ブラシ２１は、上記の如く、チャンネルブラシ２３を、台座２２の外周に形成された溝部２５にたいして、着脱可能に挿入して、固定する製造方法を採用している為、迅速、かつ安価に製造することができる。
【００１８】
実施の形態２の洗浄ブラシ２１は、上記の如くの構成となっているが、溝部の形成箇所、詳細形状等については、例えば、台座の外周のみならず、内周に形成したり、台座の長手方向の軸にたいして捩りを加えた後、溝部にチャンネルブラシを挿入したり、チャンネルブラシを溝部に挿入後、台座の長手方向の軸にたいして捩りを加えて製造する等、使用する目的に応じて、適時、最適になるように設定しても、何ら支障は無い。
【００１９】
実施の形態３
図１２から図１４にて実施の形態３を示す。図１２は、本発明の洗浄ブラシを洗車ブラシとして使用した形態の側面図である。図１２において、３１は洗浄ブラシ、３２は台座、３３はチャンネルブラシ、３４はブラシ片、３９は根部、４８は隙間、５６、６６はスリット、７５は止め金具である。図１３は、図１２に使用したブラシ片の正面図である。図１３において、３５は位相差、３７は中央部、４０、５０、６０は幅である。図１４は、実施の形態３の他の実施例として使用したブラシ片の正面図である。図１４において、４４はブラシ片、４５は位相差、４７は中央部、４９は根部、６３、７０、７３、８０、９０は幅、７６、７７、７８、８６、８７、８８はスリットである。
【００２０】
洗浄ブラシ３１は、図１２の如く、台座３２、チャンネルブラシ３３、及び止め金具７５より構成されてある。台座３２は、略円筒形状からなり、外周には、チャンネルブラシ３３が形成されてあり、チャンネルブラシ３３は、止め金具７５により、固定されてある。チャンネルブラシ３３にはブラシ片３４が形成されてあり、図１３の如く、複数のスリットは、ブラシ片の長手方向に対して直角方向で一定の幅毎に中央部を除いて設けられ、中央部に対する一方側のスリットと他方側のスリットは位相差を有して形成されている。すなわち、中央部３７にて幅４０を形成すると共に、幅５０を形成する複数のスリット５６、及び幅６０を形成する複数のスリット６６が、ブラシ片３４の長手方向にたいして、位相差３５を有して、形成されている。
ブラシ片３４は、上記の形状となっている為、Ｃ−Ｃを折り込んで、図１２の如く、台座３２の外周にたいして、複数のスリット５６、及び６６が、互いにずれるようにして、巻き付けられて、形成される。その為、ブラシ片３４は、複数のスリット６６にて形成された隙間４８に、複数のスリット５６を有する側のブラシ片３４が、重ね合わされるようにして形成され、隙間４８が、複数のスリット５６を有する側のブラシ片３４により、補強されることにより、根部３９の毛腰を強くすることができる。
【００２１】
実施の形態３の洗浄ブラシ３１は、上記の如くの構成となっているので、毛腰の強い根部３９を有すると共に、台座３２の外周にたいして、複数のスリット５６、及び６６が、互いにずれるようにして、巻き付けられて、形成されたブラシ片３４を、被洗浄面にたいして連続的に接触させることができる。その為、洗浄ブラシ３１は、洗浄ムラが発生する事が無く、短時間にて洗浄する事ができると共に、高い洗浄力を発揮できる。
【００２２】
実施の形態３の洗浄ブラシ３１は、上記の如くの構成となっているが、位相差の形成状態については、例えば、前記請求項に記載の如く、ブラシ片の長手方向、あるいは短手方向のうち、少なくとも１方向以上に位相差を有して複数のスリットが形成されてあるものであれば、使用する目的に応じて、適時、最適になるように設定しても、何ら支障は無い。
【００２３】
次に、実施の形態３の他の実施例を示す。実施の形態３の他の実施例に使用するブラシ片４４は、図１４の如く、幅７３を形成する複数のスリット７６、７７、７８、及び幅７３を形成する複数のスリット８６、８７、８８が、中央部４７にて、幅７０、８０、９０を有して、段差状に形成されてある。また、スリット７６、８６は、ブラシ片４４の短手方向にたいして、幅６３、７０を有すると共に、位相差４５を有して、形成されてある。ブラシ片４４は、上記の形状となっている為、Ｄ−Ｄを折り込んで、図１２と同じ要領にて、台座３２の外周にたいして、ブラシ片４４を、巻き付けて形成した場合には、短手方向にたいして異なる幅を有する段差状の複数のスリットが、重ね合わされるようにして、形成され、根部４９の毛腰を強くすることができる。
【００２４】
実施の形態３の他の実施例においては、上記の如くの構成となっているので、毛腰の強い根部４９を有すると共に、短手方向にたいして異なる幅を有する段差状の複数のスリットが形成されたブラシ片４４を、被洗浄面にたいして連続的に接触させることができる。その為、洗浄ムラが発生する事が無く、短時間にて洗浄する事ができると共に、高い洗浄力を発揮できる。
【００２５】
実施の形態３の他の実施例においては、上記の如くの構成となっているが、スリットの形成状態については、例えば、上記の如く、ブラシ片の短手方向にたいして、位相差を有して、複数のスリットが形成されてあると共に、ブラシ片の長手方向にたいしても、位相差を形成させる等、使用する目的に応じて、適時、最適になるように設定しても、何ら支障は無い。
【００２６】
実施の形態４
図１５から図１６にて実施の形態４を示す。図１５は、本発明の洗浄ブラシを洗車ブラシとして使用した形態の側面図である。図１５において、４１は洗浄ブラシ、４２は台座、４３はチャンネルブラシ、５４はブラシ片、５８は隙間、５９は根部、８５は止め金具、９６はスリットである。図１６は、図１５に使用したブラシ片の正面図である。図１６において、５５、６５は幅、５７は中央部である。
【００２７】
洗浄ブラシ４１は、図１５の如く、台座４２、チャンネルブラシ４３、及び止め金具８５より構成されてある。台座４２は、略円筒形状からなり、外周には、チャンネルブラシ４３が形成されてあり、チャンネルブラシ４３は、止め金具８５により、固定されてある。チャンネルブラシ４３にはブラシ片５４が形成されてあり、図１６の如く、幅６５を有する複数のスリット９６が形成されてあり、中央部５７には幅５５が形成されてあると共に、幅５５は、ブラシ片５４の長手方向にたいして、いずれの箇所においても略一定に形成されている。すなわち、ブラシ片の各スリット９６は、中央部のスリットのない幅５５が、略一定の寸法になるようにして設けられている。
ブラシ片５４は、上記の形状となっている為、Ｅ−Ｅを折り込んで、図１５の如く、台座４２の外周にたいして、複数のスリット９６の長さが、互いに異なるようにして、巻き付けられて形成される。その為、ブラシ片５４は、複数のスリット９６にて形成された隙間５８を補強することができると共に、根部５９の毛腰を強くすることができる。
【００２８】
実施の形態４の洗浄ブラシ４１は、上記の如くの構成となっているので、重ね合わせて折り込んだ平板状の合成樹脂発泡体のブラシ片５４が、台座４２の外周にたいして、複数のスリット９６の長さが、互いに異なるようにして、巻き付けられて形成される。その為、ブラシ片５４は、複数のスリット９６にて形成された隙間５８を補強することができると共に、根部５９の毛腰を強くすることができる。また、使用時には、毛腰の強い根部５９を有するブラシ片５４を、被洗浄面にたいして連続的に接触させることができる。その為、洗浄ブラシ４１は、洗浄ムラが発生する事が無く、短時間にて洗浄する事ができると共に、高い洗浄力を発揮できる。
【００２９】
実施の形態４の洗浄ブラシ４１は、上記の如くの構成となっているが、スリット９６の形成状態については、中央部５７に形成されてある幅５５が、ブラシ片５４の長手方向にたいして、いずれの箇所においても略一定に形成されてあるならば、例えば、ブラシ片５４の長手方向あるいは、短手方向のいずれかの方向にたいして、所定の位相差を有してスリット９６を形成する等、使用する目的に応じて、適時、最適になるように設定しても、何ら支障は無い。
【００３０】
実施の形態５
図１７にて実施の形態５を示す。図１７は、本発明の洗浄ブラシを洗車ブラシとして使用した形態の側面図である。図１７において、５１は洗浄ブラシ、５２は台座、５３はチャンネルブラシ、６４、７４はブラシ片、６９は根部、９５は止め金具である。
【００３１】
洗浄ブラシ５１は、図１７の如く、台座５２、チャンネルブラシ５３、及び止め金具９５より構成されてある。台座５２は、略円筒形状からなり、外周には、チャンネルブラシ５３が形成されてあり、チャンネルブラシ５３は、止め金具９５により、固定されてある。チャンネルブラシ５３には、ブラシ片６４、７４が形成されてある。ブラシ６４の材質には、合成樹脂発泡体が使用されてある。また、ブラシ７４の材質には、織布あるいは不織布が使用されてある。洗浄ブラシ５１は、図１７の如く、ブラシ片６４、及びブラシ片７４が、交互に形成されるように、重ね合わせた後、折り込まれて形成されてある。
【００３２】
実施の形態５の洗浄ブラシ５１は、上記の如くの構成となっているので、被洗浄面にたいして、合成樹脂発泡体からなるブラシ片６４、及び織布あるいは不織布からなるブラシ片７４を、連続的に接触させることができる。その為、洗浄ブラシ５１は、合成樹脂発泡体の有する高い耐摩耗性、及び織布あるいは不織布の有する高い洗浄力を、同時に有することができ、被洗浄面にたいして、高い耐摩耗性、及び高い洗浄力を有することができる。
【００３３】
実施の形態５の洗浄ブラシ５１は、上記の如くの構成となっているが、ブラシ片の材質については、前記請求項に記載の如く、合成樹脂発泡体、織布、不織布の他にも、例えば、天然樹脂発泡体、編物、天然繊維、化学繊維、天然樹脂、合成樹脂、天然ゴム、合成ゴム、ゲル材、フィルム材、メッシュ材の内から、使用する目的に応じて、適時、最適になるように選択しても、何ら支障は無い。また、例えば、数種類の異なる合成樹脂発泡体を使用する等、同材質を数種類使用しても、何ら支障は無い。
【００３４】
【発明の効果】
以上の説明から明らかなように、本発明の洗浄ブラシは次に示すような効果を得ることができる。なお、説明にあたっては、請求項の番号と同じ番号を付して説明する。
【００３５】
（１）平板状の合成樹脂発泡体のブラシ片が、台座の外周にたいして、複数のスリットにて形成された隙間に、複数のスリットを有する側のブラシ片が、重ね合わされるようにして、形成される。その為、ブラシ片の根部は、隙間が複数のスリットを有する側のブラシ片により補強されることにより、毛腰を強くすることができる。また、使用時には、毛腰の強い根部を有するブラシ片を、被洗浄面にたいして連続的に接触させることができる。その為、洗浄ブラシは、洗浄ムラが発生する事が無く、短時間にて洗浄する事ができると共に、高い洗浄力を発揮できる。さらにまた、洗浄ブラシは、上記の如く、チャンネルブラシを、台座の外周にたいして巻き付けた後、止め金具にて固定する製造方法を、採用している為、迅速、かつ安価に製造することができる。
【００３６】
（２）ブラシ片の根部は、毛腰を強くすることができる。また、使用時には、毛腰の強い根部を有するブラシ片を、被洗浄面にたいして、接触させることができる。その為、洗浄ブラシは、短時間にて洗浄する事ができると共に、高い洗浄力を発揮できる。さらにまた、洗浄ブラシは、上記の如く、チャンネルブラシを、台座の外周に形成された溝部にたいして、着脱可能に挿入して、固定する製造方法を採用している為、迅速、かつ安価に製造することができる。
【００３７】
（３）毛腰の強い根部を有すると共に、台座の外周にたいして、複数のスリットが、互いにずれるようにして、巻き付けられて、形成されたブラシ片を、被洗浄面にたいして連続的に接触させることができる。その為、洗浄ブラシは、洗浄ムラが発生する事が無く、短時間にて洗浄する事ができると共に、高い洗浄力を発揮できる。
【００３８】
また、複数のスリットが、ブラシ片の短手方向にたいして、幅、及び位相差を有して形成されてある場合においては、毛腰の強い根部を有すると共に、短手方向にたいして、異なる幅を有する段差状の複数のスリットが形成されたブラシ片を、被洗浄面にたいして連続的に接触させることができる。その為、洗浄ムラが発生する事が無く、短時間にて洗浄する事ができると共に、高い洗浄力を発揮できる。
【００３９】
（４）重ね合わせて折り込んだ平板状の合成樹脂発泡体のブラシ片が、台座の外周にたいして、複数のスリットの長さが、互いに異なるようにして、巻き付けられて形成される。その為、ブラシ片は、複数のスリットの間に形成された隙間を補強することができると共に、根部の毛腰を強くすることができる。また、使用時には、毛腰の強い根部を有するブラシ片を、被洗浄面にたいして連続的に接触させることができる。その為、洗浄ブラシは、洗浄ムラが発生する事が無く、短時間にて洗浄する事ができると共に、高い洗浄力を発揮できる。
【００４０】
（５）被洗浄面にたいして、合成樹脂発泡体からなるブラシ片、及び織布あるいは不織布からなるブラシ片を、連続的に接触させることができる。その為、洗浄ブラシは、合成樹脂発泡体の有する高い耐摩耗性、及び織布あるいは不織布の有する高い洗浄力を、同時に有することができ、被洗浄面にたいして、高い耐摩耗性、及び高い洗浄力を有することができる。
【図面の簡単な説明】
【図１】従来の洗浄ブラシを、前面側から見た斜視図である。
【図２】同、ブラシ片の斜視図である。
【図３】同、洗浄ブラシの側面図である。
【図４】実施の形態１の洗浄ブラシを洗車ブラシとして使用した形態を前面側から見た斜視図である。
【図５】図４に使用した台座、及び止め金具を前面側から見た斜視図である。
【図６】図４に使用したブラシ片の正面図である。
【図７】チャンネルブラシの製造方法を、前面側から見た斜視図である。
【図８】図４の洗浄ブラシの側面図である。
【図９】実施の形態２の洗浄ブラシを洗車ブラシとして使用した形態を前面側から見た斜視図である。
【図１０】図９の洗浄ブラシに使用したチャンネルブラシを前面側から見た斜視図である。
【図１１】図９の洗浄ブラシに使用したブラシ片の平面図である。
【図１２】実施の形態３の洗浄ブラシを洗車ブラシとして使用した形態の側面図である。
【図１３】図１２に使用したブラシ片の正面図である。
【図１４】実施の形態３の他の実施例として使用したブラシ片の正面図である。
【図１５】実施の形態４の洗浄ブラシを洗車ブラシとして使用した形態の側面図である。
【図１６】図１５に使用したブラシ片の正面図である。
【図１７】実施の形態５の洗浄ブラシを洗車ブラシとして使用した形態の側面図である。
【図１】
0004854176.tif 000002
【図２】
0004854176.tif 000003
【図３】
0004854176.tif 000004
【図４】
0004854176.tif 000005
【図５】
0004854176.tif 000006
【図６】
0004854176.tif 000007
【図７】
0004854176.tif 000008
【図８】
0004854176.tif 000009
【図９】
0004854176.tif 000010
【図１０】
0004854176.tif 000011
【図１１】
0004854176.tif 000012
【図１２】
0004854176.tif 000013
【図１３】
0004854176.tif 000014
【図１４】
0004854176.tif 000015
【図１５】
0004854176.tif 000016
【図１６】
0004854176.tif 000017
【図１７】
0004854176.tif 000018